(57)【要約】      （修正有）【課題】ファンデーションを使用初期から最後まで通常の使用状態のままほぼ完全に使い切ることができ、更に使用期間中のほぼ最後まで皿の底が見えることがなく、公衆トイレ等で他人の目を気にすることなく安心して化粧に専念できる化粧品を提供する。【解決手段】ファンデーションの充填皿の断面形状を球面にし、その一部に平面部を設けその平面部から垂直に立ち上がり面を設け、ファンデーションの固形物が使用時に皿から外れてしまうことを防ぐ。【選択図】図９
0003126320.tif 000002
【実用新案登録請求の範囲】
【請求項１】
粉体を固形状にしたものを収納する皿において、その底面形状を球面状とし、球面状に少なくとも一カ所平面部と垂直部を設けた皿を用いたファンデーション用充填皿。
【請求項２】
充填皿の外形の一部に位置決め用手段を具え該皿をケースに収納するとき、位置決め手段により充填皿の滑り止め部が使用時において手前に位置するようにした請求項１の充填皿。
【考案の詳細な説明】
【技術分野】
【０００１】
この考案はフアンデーションと呼ばれる化粧品に関する。          
【背景技術】
【０００２】
【特許文献１】特許公開平８−１３１２４６
【特許文献２】登録実用新案第３０１４３２７号などがある。これらは従来品の欠点であった充填されたファンデーションが皿の隅に残るのをなくすべき工夫をしたものである。
【考案の開示】
【考案が解決しようとする課題】
【０００３】
女性が使用する化粧品の中でフアンデーションと呼ばれるもので、その構成は粉体を固めて皿状のケースに充填し、それを外装ケースに入れたものである。化粧品の外観ケースは見た目が美しく煌びやかで、中身は女性をより美しくするというイメージを訴求するものでなければならない。
【０００４】
見た目はきれいで女性心をくすぐる物であるが、道具としての観点から見ると使いやすさの面で改良すべき点が見受けられる。それはファンデーションが皿状のケースに入っており、それをパフと呼ばれる柔らかいスポンジ状の物を手に持ってフアンデーションの表面を擦りパフにつける。このときパフを擦る方向はケースの構造上常に一方向になる。
【０００５】
このときパフを持った手は円弧状にファンデーションの表面を擦るので、ファンデーションは皿のほぼ中央部が早く削り取られていき皿の周辺部に従って凹面状が形成される。さらに使っていくうちに中央部は全くなくなり周辺部に取り残されているのを使わなくてはならなくなる。
【０００６】
この問題を解決する方法として皿の形状を改良し隅にＲをつけるとかあるいは底面の形状全体をＲ状にする方法が提案されている。しかし、これらの方法では前述の説明のように使用時に常に一定方向の力を加えて使用するので、固形に固められたファンデーションが皿と密着していたのがやがて外れてしまい、パフで擦りとることが出来なくなってしまう。皿から外れてしまった固形物はパフで擦ることができず結局使用できなくなってしまう。
【０００７】
本考案はフアンデーションを使用初期から最後まで通常の使用状態のままほぼ完全に使い切ることができ更に使用期間中のほぼ最後まで皿の底が見えることがなく、公衆トイレ等で他人の目を気にすることなく安心して化粧に専念できる化粧品を提供する。
【０００８】
フアンデーションの皿形状は四角形（長方形または正方形）あるいは円形であり、充填されたファンデーションを無駄なく使えるように皿の底形状に工夫がされている。また底の形状がどのようなものであっても表面は平面となっている。この状態から使用を始め、使用につれて中心部が凹状になっていくに従いパフがファンデーションの表面を擦る力が増し、やがて皿に密着していたファンデーションの固形物が皿から外れてしまい使用できなくなることがあるのを防ぐ。
【課題を解決するための手段】
【０００９】
ファンデーションをパフにつけるときの手の動きは、ファンデーションの表面をパフで擦り取るのにその表面に対し円弧状に掻き取るのが一般的である。従ってその手の動きに合わせた皿の形状にすることにより使用が進むにつれて皿の中央部から早く減っていくのではなく皿の面全体にわたって平均的に減っていき、最後までほぼ使い切ることができるようになる。
【００１０】
すなわち、使い始めは中心部から使い、徐々に周辺部に広がっていくのにあわせ皿の断面が球面の凹面形状にして中心部は厚く周辺部に行くに従い徐々に浅くなっていく形状にすることにより解決する。
【００１１】
一方皿の底形状を球面にすることによりパフをファンデーション表面に擦る力によりファンデーションの固形が皿より外れてしまわないように、曲面の一部を直線部とし更に立ち上がり部も直線部に対して直角をなすような壁を設けることにより前述の固形のはずれを防ぐ。
【考案の効果】
【００１２】
本考案は皿の形状で底部を球面状にしてパフの動きに近い円弧とすることにより、使用が進むにつれ皿の中心部からフアンデーションがなくなるのではなく皿全体をほぼ均等に使用できるようにし、使用するに従って中央部から底が見えるという現象を無くすことができる。
【００１３】
更に使用の度にパフにより擦られる力が固形物に加わって、やがては皿から外れてしまうのを防ぐために、使用者が手に持ったときの手前側に直線部を設けて脱落を防止することができる。
【００１４】
上述の説明のように簡単な構造で従来形状のような周辺部に残りがでることはなく、使用途中に底が見えることがなく常に全面にファンデーションがあるので見た目もよく、さらに使い残しがなくなるので、資源の有効利用の観点からも効果大なるものである。
【考案を実施するための最良の形態】
【００１５】
以下本考案の実施の形態を図１〜図１３を用いて説明する。
【００１６】
図１は一般的に女性がフアンデーションを使用するときのイメージイラスト図である。片方の手でフアンデーションケースを持ちもう一方の手にパフを持ちフアンデーションの表面を擦る。このとき手の動きは図上部にかかれている矢印のような円弧状の動きになるのが一般的である。
【００１７】
使用するにあたり、ファンデーションのケースは外観形状を問わず必ず鏡とセットになっており、使用するときは鏡に自身の顔が写るように保持する。従ってパフを手に持ちファンデーション表面を擦る動きは常に向こう側から手前側の一方向となる。
【００１８】
このような使用を続けた結果フアンデーションの皿の状態がどのように変化をしていくかを以下に説明する。
【００１９】
図２、図３、図４は長方形のファンデーションケースで上側の図が上部平面図、下側の図が断面図である。１はファンデーションが入っている皿、２はファンデーションである。
【００２０】
図２は新品の状態で皿１の表面は平面になっている。図３は使用開始してしばらくした時の皿１の表面の状態である。中央部が凹み断面を見ると周辺部は新品のままで中央部から周辺に行くに従い徐々に凹んでいく状態がわかる。
【００２１】
図４はかなり使い込んだ状態であり中央から周辺にかけて皿１の表面が見えている。
この状態で周辺に残ったファンデーションはパフに付きにくく個人差によるが周辺にいくらかの量を残したまま捨てて新品と取り替える。
【００２２】
図５及び図６は円形のファンデーションケースの場合の説明である。１１は皿、１２はファンデーションであり図５は新品の状態、図６は使い込んだ状態である。
【００２３】
上述の説明のようにファンデーションケースの形状が長方形であれ円形であれ、その使用状態から必ず周辺部に使い残りがでてしまう。
【００２４】
このような無駄を無くすようにとすでに提案されている一例として図７に平面図と断面図示す。皿２１の周囲にファンデーション２２の使い残りがでないように皿の底面をＲ状にした物である。
【００２５】
この場合確かにパフで表面を擦り続けていっても皿２１に角部がないのですべて使い切れるように思える。しかし、前述のようにパフを使うとき常に一方向に擦って行くので、フアンデーション表面に力が加わるにつれ、製造時は皿２１とファンデーション２２の固形物が強固に密着していても度重なる外力に逆らいきれずやがて皿の底とファンデーションが外れてしまい図８のようになる。
【００２６】
このような状態になると滑らないようにファンデーション２２の表面を押さえながらパフを擦ることになり非常に手間がかかり、使用者は苦労することとなる。
【００２７】
図９は本考案を示す図である。３１は皿でその断面は３１ａに示すように球面になっておりその一部に平面部３１ｂを設けてありその壁３１ｃは垂直に立ち上がっている。平面部３１ｂの幅は適宜定める。
皿３１はファンデーションケースにセットするときに一定方向にしか入れられないように位置決め用の面取りをした部分３１ｄがある。図９においては位置決め用の形状として角を面取りしているがその他の方法として凹部或いは凸部を設けるなど一方向にしか入らない構成であれば何であっても良い。
【００２８】
前述のようにパフの動きは常に一定方向でありまたその方向に力が加わるので皿とファンデーションの固形物がその力に対して抗さなければならず、そのために設けた平面部３１ｂ及び３２ｃは常に同じ方向になくてはならないので、皿の角の一つを面取りして相手のファンデーションケースと定められた方向にしかはいらないようにしてある。
【００２９】
図１０は本考案の皿にファンデーションが充填された状態を示す。３２はファンデーションで表面は平面らなっている。このような断面形状の皿に充填されたファンデーションは中心部が深く周辺に行くに従い浅くなっている。
【００３０】
図１１は使用途中の皿の断面図を示した物である。使用時は当初中心部から使い始め中心部から周辺に従い凹部（３２ａ）ができ適度に使用したときには断面形状ではほぼ厚みが均一状態になる。
【００３１】
このような状態から使い進むにつれ中心も周辺もほぼ厚みが均一に残るようになり、使っていくうちに中心部の底が先に見え出すということが解消でき、人前でも安心して化粧をすることができる。
【００３２】
パフでファンデーション表面を擦るとき、ファンデーションの固形物に力が加わるが皿の形状の一部に平面部とその平面に対して垂直に立ち上がった壁３２ｃがあるため、固形物全体がパフの動きに併せて滑り図８に示すように皿から外れてしまうことはない。
【００３３】
図１２はファンデーションを使い切った時の皿の断面を示す図である。底面が球面になっているので残っているのは皿３１に設けた平面部３１ｂの隅の僅かな量（３２ｂ）であり、図４或いは図６に示す従来品の残り方とは歴然とした差がある。
【００３４】
このような充填皿をファンデーションケースにセットした状態を示すのが図１３である。４１はファンデーションケースの底側、４２は蓋側である。使用するときは図のような状態で手のひらに載せ鏡４３を見ながら化粧をする。充填皿は３１ｄの位置決め用面取りにより図示の状態にしかセットできないようになっている。
【００３５】
このような状態で使用するとパフをファンデーションの表面に擦り取るとき常に固形物に加わる力は使用者の手前側になりその方向には滑り止め用の平面部３１ｂと垂直部３１ｃがあるので皿から滑り出ることはない。  
【００３６】
従来の皿形状では周辺全体が垂直に立ち上がっているので上記のような心配はないが、本考案の場合は底面が球面であるので安全のために設けたものである。図に於いて平面部は一カ所であるが必要に応じて数カ所設けても良い。何れにしても皿はプレス或いはプラスチック成型品で製造するので形状が従来品より多少複雑であっても、金型による生産であるためコストに影響することは皆無である。
【図面の簡単な説明】
【００３７】
【図１】図１はファンデーションを使用するときのイメージイラスト
【図２】図２は従来品の使用時におけるファンデーションの残り方を説明する図
【図３】図３は従来品の使用時におけるファンデーションの残り方を説明する図
【図４】図４は従来品の使用時におけるファンデーションの残り方を説明する図
【図５】図５は従来品の使用時におけるファンデーションの残り方を説明する図
【図６】図６は従来品の使用時におけるファンデーションの残り方を説明する図
【図７】図７は改良案における平面図と断面図
【図８】図８は改良案での問題点を示す図
【図９】図９は本考案のファンデーション皿の平面図と断面図。
【図１０】図１０は本考案品にフアンデーションが充填されたときの平面図と断面図
【図１１】図１１は本考案実施例で使用途中の断面図
【図１２】図１２は使用後の残り状態を示す断面図
【図１３】図１３はファンデーションケースの蓋を開け使用する状態
【符号の説明】
【００３８】
１，１１，２１、３１はファンデーションを充填する皿
２，１２，２２、３２はファンデーション
３１ａは皿の底面形状
３１ｂは皿の一部に設けた平面部
３１ｃは皿の一部に設けた垂直立ち上がり部
３１ｄはファンデーションケースに皿をセットするときの位置決め用面取り
３２ｂはファンデーションの使い残り
４１はファンデーションケースの下側
４２はファンデーションケースの蓋
４３は鏡
【図１】
0003126320.tif 000003
【図２】
0003126320.tif 000004
【図３】
0003126320.tif 000005
【図４】
0003126320.tif 000006
【図５】
0003126320.tif 000007
【図６】
0003126320.tif 000008
【図７】
0003126320.tif 000009
【図８】
0003126320.tif 000010
【図９】
0003126320.tif 000011
【図１０】
0003126320.tif 000012
【図１１】
0003126320.tif 000013
【図１２】
0003126320.tif 000014
【図１３】
0003126320.tif 000015